(57)【要約】【課題】クロック分周用レジスタに誤った設定がなされた場合であっても出力素子を破壊に至らしめないテレビジョン受像機を提供することを目的とする。【解決手段】第１のクロック発生器と、第１のクロック発生器の出力を分周しＴＶ信号の垂直周波数に一致した周波数を有する垂直フリーラン信号を生成する垂直フリーラン信号発生器と、第２のクロック発生器と、第２のクロック発生器の出力を分周しＴＶ信号の水平周波数に一致した周波数を有する水平フリーラン信号を生成する水平フリーラン信号発生器と、垂直フリーラン信号と水平フリーラン信号に基いて１垂直期間の水平ライン数をカウントする水平ライン数カウンタと、水平ライン数カウンタの出力が正常であることを検出した後に表示デバイス駆動回路の電源をオンする旨の指令を送信するマイクロコンピュータとを備えた構成を有している。【選択図】図１
2007311848.tif 000002
【特許請求の範囲】
【請求項１】
プログラマブルに発振周波数を変化させる第１のクロック発生器と、
前記第１のクロック発生器の出力を分周しテレビジョン信号の垂直周波数に一致した周波数を有する垂直フリーラン信号を生成する垂直フリーラン信号発生器と、
前記垂直フリーラン信号発生器の出力と受信した垂直同期信号とを切り替える垂直同期信号セレクタと、
プログラマブルに発振周波数を変化させる第２のクロック発生器と、
前記第２のクロック発生器の出力を分周しテレビジョン信号の水平周波数に一致した周波数を有する水平フリーラン信号を生成する水平フリーラン信号発生器と、
前記水平フリーラン信号発生器の出力と受信した水平同期信号とを切り替える水平同期信号セレクタと、
前記垂直同期信号セレクタの出力と前記水平同期信号セレクタの出力に基いて１垂直期間の水平ライン数をカウントする水平ライン数カウンタと、
前記水平同期信号セレクタが前記水平フリーラン信号発生器の出力を選択し前記垂直同期信号セレクタが前記垂直フリーラン信号発生器の出力を選択した場合に前記水平ライン数カウンタの出力が正常であることを検出した後に表示デバイス駆動回路の電源をオンする旨の指令を送信するマイクロコンピュータと、
を有するテレビジョン受像機。
【発明の詳細な説明】
【技術分野】
【０００１】
本発明は、テレビジョン受像機を含めた映像機器に関するものである。
【背景技術】
【０００２】
民生用のテレビジョン受像機において、４８０ｉ、１０８０ｉなどといった複数の信号フォーマットに対応した受像機が一般的になっている（例えば特許文献１参照。）。このような各種信号フォーマットを受像させるために必要な信号処理回路を合理化するために、デジタル信号処理回路を用い、これらのデバイスに適宜必要な設定を行うことで重複した回路を用いることなくテレビジョン受像機を構成することが可能になっている。またこれらの信号処理回路は、高圧発生回路・水平偏向回路等のパワー系デバイスを駆動するための制御パルスも同時に生成している。
【０００３】
デジタル信号処理回路は、安定したクロックシステムと、そのクロックを逓倍・分周し、状態に応じたカウンタ設定や加算、乗算を各回路ブロックで行うことにより成立する。これらが当初の狙い通りに動作した場合には、安定かつ高精度な演算により、優れた回路動作を実現することが可能である。またその信号処理回路が外部から設定されるレジスタにより、高い自由度で動作させる状態を変化させることができれば、さまざまな動作状態を同一の回路で実現することができる。
【特許文献１】特開２００２−２１８４１０号公報
【発明の開示】
【発明が解決しようとする課題】
【０００４】
しかしながら上記の従来の構成では、これらの条件が１つでも崩れたときはクロック分周設定を行うレジスタに誤った設定がなされ各回路ブロックから出力されるパルスの周波数等が許容外のものとなり、特に高圧出力回路、水平出力回路等のパワー系デバイスの制御パルスとして用いる場合には、ドライブ条件等が変化し出力素子を破壊に至らしめる可能性があるという問題点を有していた。
【０００５】
これらの条件が崩れる場合としては、（１）ハードウェア、ソフトウェアの不具合が発生した場合、例えば、回路部品の実装上の不具合、セットの移動に際し回路部品や回路基板等に機械的な変位が加わり接続部品の接触不良等によって回路自体の電源が遮断されたり回路を動作させるために必要なクロックや基準パルスが伝達されない場合、クロック発生回路やクロック分周回路にソフトウェアもしくは通信上の不具合が発生した場合がある。また、（２）各回路が過渡状態にありサージやノイズ等の回路動作を不安定にする要因が発生しやすい場合、例えば、セットの電源投入時の回路が過渡状態から安定状態までの遷移期間中（デジタル信号処理回路は映像信号を出力させるためのイニシャライズ中）である。
【０００６】
本発明は上記従来の問題点を解決するもので、クロック分周用レジスタに誤った設定がなされた場合であっても出力素子を破壊に至らしめないテレビジョン受像機を提供することを目的とする。
【課題を解決するための手段】
【０００７】
この目的を達成するために本発明のテレビジョン受像機は、プログラマブルに発振周波数を変化させる第１のクロック発生器と、前記第１のクロック発生器の出力を分周しテレビジョン信号の垂直周波数に一致した周波数を有する垂直フリーラン信号を生成する垂直フリーラン信号発生器と、前記垂直フリーラン信号発生器の出力と受信した垂直同期信号とを切り替える垂直同期信号セレクタと、プログラマブルに発振周波数を変化させる第２のクロック発生器と、前記第２のクロック発生器の出力を分周しテレビジョン信号の水平周波数に一致した周波数を有する水平フリーラン信号を生成する水平フリーラン信号発生器と、前記水平フリーラン信号発生器の出力と受信した水平同期信号とを切り替える水平同期信号セレクタと、前記垂直同期信号セレクタの出力と前記水平同期信号セレクタの出力に基いて１垂直期間の水平ライン数をカウントする水平ライン数カウンタと、前記水平同期信号セレクタが前記水平フリーラン信号発生器の出力を選択し前記垂直同期信号セレクタが前記垂直フリーラン信号発生器の出力を選択した場合に前記水平ライン数カウンタの出力が正常であることを検出した後に表示デバイス駆動回路の電源をオンする旨の指令を送信するマイクロコンピュータとを備えた構成を有している。
【発明の効果】
【０００８】
以上のように本発明は、クロック分周用レジスタに誤った設定がなされた場合であっても出力素子を破壊に至らしめないテレビジョン受像機を提供することができるという優れた効果が得られる。
【発明を実施するための最良の形態】
【０００９】
（実施の形態１）
図１は本発明の実施の形態１におけるテレビジョン受像機の構成を示すブロック図である。３００は入力される映像信号とは無関係に標準的なテレビジョン信号の垂直周波数に一致した垂直フリーラン信号を発生させることのできる映像信号処理ＬＳＩ、３１０は入力された映像信号から水平同期信号及び垂直同期信号を抜き取る同期分離回路であり、水平同期信号ｓｈ３及び、垂直同期信号ｓｖ３を出力する。３３０は映像信号処理ＬＳＩ３００に入力される映像信号とは無関係に垂直フリーラン信号を発生させることができる垂直フリーラン信号発生器であり、クロック発生器３３１において標準状態の映像信号が入力されたときに生成されるべきクロックを発生させ、然るべき分周比をクロック分周器３３２に設定することで、安定的な垂直フリーラン同期信号ｓｖ３ｆを生成する。３２０は３１から出力された垂直同期信号ｓｖ３と３３から出力されたｓｖ３ｆを切り替える垂直同期信号セレクタである。垂直同期信号セレクタ３２０で選択された垂直同期信号をｓｖ３ｓとする。また、映像信号処理ＬＳＩ３００はバスインターフェイス３４０を介してマイクロコンピュータ１００と接続される。２００はパワーデバイス制御回路２５０を有し、入力された映像信号とは無関係にテレビジョン受像機の出力水平周波数に一致した水平フリーラン信号を発生させ、表示デバイスに出力する状態での水平ライン数を計測するカウンタを有した信号処理ＬＳＩである。２１０は信号処理ＬＳＩ２００に入力される各種映像信号を切り替えるデジタルビデオスイッチである。電源起動時に、デジタルビデオスイッチ２１０の出力は映像信号処理ＬＳＩ３００から出力された信号Ｓ３を選択するものとし、映像信号処理ＬＳＩ３００から入力される垂直同期信号ｓｖ３ｓを後段の回路ブロックに出力する。即ち、デジタルビデオスイッチ２１０の垂直同期信号出力ｓｖ２として選択された垂直同期信号は、映像信号処理ＬＳＩ３００で生成された垂直フリーラン同期信号ｓｖ３ｆに他ならない。２３０は水平同期信号セレクタであり、水平フリーラン信号発生器２４０から出力される水平同期信号ｓｈ２ｆと、デジタルビデオスイッチ２１０で選択された水平同期信号ｓｈ２とを切換えるものである。電源起動時に水平同期信号セレクタ２３０の出力ｓｈ２ｓは、水平フリーラン信号発生器２４０から出力された水平フリーラン信号ｓｈ２ｆを選択するものとする。即ち、ｓｈ２ｓとして選択された水平同期信号はｓｈ２ｆである。水平フリーラン信号発生器２４０においてクロック発生器２４１は、標準状態の映像信号入力された時に生成されるべきクロックを発生させ、然るべき分周比をクロック分周器２４２に設定することで、安定的な水平フリーラン信号ｓｈ２ｆを生成する。２６０は、ｓｈ２ｓ及びｓｖ２により、１垂直期間の水平ライン数をカウントする水平ライン数カウンタである。２５０は、ｓｈ２ｓ及び、ｓｖ２に基いて表示デバイス駆動回路を制御するために必要な、各種パルス生成を行うパワーデバイス制御回路である。ここで信号処理ＬＳＩ２００は、バスインターフェイス２２０を介してマイクロコンピュータ１００と接続される。４００は、パワーデバイス制御回路２５０から出力された信号に基いて動作する表示デバイス駆動回路である。この回路ブロックの電源はマイクロコンピュータ１００から出力される表示デバイス駆動回路電源制御信号５００によって制御される。マイクロコンピュータ１００はこれらのデバイスを包括的に制御するマイクロコンピュータである。
【００１０】
以上において垂直フリーラン信号発生器３３０、水平フリーラン信号発生器２４０、水平ライン数カウンタ２６０を用いる理由について説明する。電源起動時等の過渡状態においてはクロック分周用レジスタに誤った設定がなされることがある。また放送等の受信信号も過渡状態においては不安定である。そこで受信信号の如何に拘わらず、クロック分周用レジスタの設定が正常か否かを迅速に判断するためには、受信信号を用いる場合と同様に、クロック分周用レジスタにより垂直フリーラン信号および水平フリーラン信号を発生させ、垂直フリーラン信号の周期中の水平フリーラン信号の数（水平ライン数）をカウントしこの値が正常か否かを判断すれば良い。垂直フリーラン信号および水平フリーラン信号の一方または両方が誤っている場合には水平ライン数のカウント値は異常な値となるからである。水平ライン数のカウント値が正常であることをマイクロコンピュータ１００が検出した後に初めて通常動作に移る様にすれば出力素子を破壊に至らしめることはないと考えられる。
【００１１】
図２は本発明の実施の形態１におけるテレビジョン受像機の動作を示すフローチャートである。ステップＳ２０１では、表示デバイス駆動回路電源制御信号５００により表示デバイス駆動回路の電源をオフする。ステップＳ２０２では、映像信号処理ＬＳＩ３００を初期化する。ステップＳ２０３では、信号処理ＬＳＩ２００を初期化する。ステップＳ２０４では、垂直同期信号セレクタ３２０でｓｖ３ｆを選択する。ステップＳ２０５では、デジタルビデオスイッチ２１０でＳ３を選択する。ステップＳ２０６では、水平同期信号セレクタ２３０でｓｈ２ｆを選択する。ステップＳ２０７では、マイクロコンピュータ１００は水平ライン数カウンタ２６０の計測結果が正常か否かの判断をする。Ｎｏの場合はステップＳ２０８でタイマーにより一定期間待機し、再びステップＳ２０７に移る。Ｙｅｓの場合はステップＳ２０９に移り、表示デバイス駆動回路電源制御信号５００により表示デバイス駆動回路の電源をオンする。その後、通常動作に移る。
【産業上の利用可能性】
【００１２】
本発明のテレビジョン受像機は、クロック分周用レジスタに誤った設定がなされた場合であっても出力素子を破壊に至らしめないテレビジョン受像機を提供することができるという優れた効果を有しているため、各種信号フォーマットを受像するためにデジタル信号処理回路に設定を行うことにより高圧発生回路・水平偏向回路等のパワー系デバイスを駆動するテレビジョン受像機等の映像機器において有用である。
【図面の簡単な説明】
【００１３】
【図１】本発明の実施の形態１におけるテレビジョン受像機の構成を示すブロック図
【図２】本発明の実施の形態１におけるテレビジョン受像機の動作を示すフローチャート
【符号の説明】
【００１４】
１００    マイクロコンピュータ
２００    信号処理ＬＳＩ
２１０    デジタルビデオスイッチ
２２０    バスインターフェイス
２３０    水平同期信号セレクタ
２４０    水平フリーラン信号発生器
２４１    クロック発生器
２４２    クロック分周器
２５０    パワーデバイス制御回路
２６０    水平ライン数カウンタ
３００    映像信号処理ＬＳＩ
３１０    同期分離回路
３２０    垂直同期信号セレクタ
３３０    垂直フリーラン信号発生器
３３１    クロック発生器
３３２    クロック分周器
３４０    バスインターフェイス
４００    表示デバイス駆動回路
５００    表示デバイス駆動回路電源制御信号
６００    表示デバイス
【図１】
2007311848.tif 000003
【図２】
2007311848.tif 000004